(57)【要約】      （修正有）【課題】スライダを移動させることにより確実に複数本の長尺体を一体化および分離させることができるスライダ付き長尺体を提供する。【解決手段】スライダ付き長尺体は、第１コード１０、第２コード２０、スライダとからなる。第１コード１０の側面には第２コード２０が嵌合可能な嵌合溝１３が形成されている。スライダは、スライダ本体８１、結合部８１Ａ、ガイド突起８３などを備える。スライダは第１コード１０および第２コード２０を把持するようにしてスライド可能に設けられている。スライダを第１コード１０および第２コード２０に沿って摺動させると、結合部８１Ａが第１コード１０と第２コード２０を締め付けることにより、第２コード２０が嵌合溝内に嵌合して一体化する。ガイド突起８３が嵌合溝内に入り込み第１コード１０の軸方向回転を規制することにより、確実に第２コード２０を嵌合溝１３に嵌合させることができる。【選択図】図５
2012043659.tif 000002
【特許請求の範囲】
【請求項１】
第１の長尺体と、
第２の長尺体と、
前記第１の長尺体と前記第２の長尺体とを挟持することにより一体化させる結合部と、該結合部により一体化された前記第１の長尺体と前記第２の長尺体とを分離させる分離部と、前記第１の長尺体および／または前記第２の長尺体の軸方向回転を規制する規制部とを有し、前記第１の長尺体と前記第２の長尺体に設けられたスライダと
からなるスライダ付き長尺体。
【請求項２】
前記第１の長尺体は側面に長手方向に沿って嵌合溝が設けられ、
前記第２の長尺体は前記嵌合溝に嵌合するように前記第１の長尺体よりも細く形成されており、
前記スライダが前記第１の長尺体および前記第２の長尺体に沿ってスライドすることにより、前記結合部が前記嵌合溝に前記第２の長尺体を嵌め込ませて前記第１の長尺体と前記第２の長尺体とを一体化させる請求項１に記載のスライダ付き長尺体。
【請求項３】
前記規制部は、前記嵌合溝に入り込んで前記第１の長尺体の軸方向回転を規制することにより前記嵌合溝の開口方向を前記第２の長尺体と対向する方向に規制する突起である請求項２に記載のスライダ付き長尺体。
【請求項４】
前記規制部は、前記嵌合溝の開口幅と略同一の幅を有するように形成されている請求項３に記載のスライダ付き長尺体。
【請求項５】
前記規制部は先端が球面状に形成されている請求項３に記載のスライダ付き長尺体。
【請求項６】
前記第１の長尺体は、全体の断面形状が略円形状または略楕円形状に形成され、
前記嵌合溝は断面形状が略円形状または略楕円形状に形成され、
前記第２の長尺体は、前記嵌合溝内に嵌合可能なように断面形状が略円形状または略楕円形状に形成されている請求項２に記載のスライダ付き長尺体。
【請求項７】
前記第１の長尺体および前記第２の長尺体はコードである請求項１に記載のスライダ付き長尺体。
【請求項８】
前記第１の長尺体はバンドであり、前記第２の長尺体はコードである請求項１に記載のスライダ付き長尺体。
【請求項９】
前記第２の長尺体よりも短く、該第２の長尺体と略同一の細さに形成された第３の長尺体と、
前記第１の長尺体と前記第２の長尺体と前記第３の長尺体とが一端側で接続される接続部とをさらに備え、
前記第１の長尺体および前記第２の長尺体は前記接続部の一端側から延出し、前記第３の長尺体は、前記接続部の他端側から延出するように形成されている請求項２に記載のスライダ付き長尺体。
【発明の詳細な説明】
【技術分野】
【０００１】
この発明は、スライダ付き長尺体に関し、詳しくは、スライダを移動させることにより複数の長尺体を一体化および分離させることが可能なスライダ付き長尺体に関する。
【背景技術】
【０００２】
従来から、例えば、音楽再生装置からヘッドホンなどへのオーディオ信号伝送のために長尺のコードが用いられている。コードは一般的には２本１組であり、Ｌチャンネル用コードとＲチャンネル用コードとからなる。また、音楽再生装置に接続される基幹コードと、Ｌチャンネル用コードとＲチャンネル用コードの３本からなるものもある。
【０００３】
コードは複数本１組であるため、非常に絡まりやすい。絡んだコードを解く作業は煩雑であるため、コードが絡まるとユーザに不快感を与えることになる。そこで、それぞれが嵌合子を備えることにより互いに嵌合する第１のコード本体と第２のコード本体と、その第１のコード本体と第２のコード本体とを挟持するスライダとからなる平行コードが提案されている。
【先行技術文献】
【特許文献】
【０００４】
【特許文献１】特開２００７−１７３０８９号公報
【発明の概要】
【発明が解決しようとする課題】
【０００５】
特許文献１に記載の平行コードはスライダを移動させることにより、第１のコード本体と第２のコード本体とを互いに嵌合させて、１本のコードのように扱うことを可能とする。これにより、第１のコード本体と第２のコード本体とが絡まることを抑制することができる。そして、使用時には、スライダをコードを結合する方向とは逆方向に移動させることにより容易に第１のコード本体と第２のコード本体とを分離させることができる。
【０００６】
第１のコード本体と第２のコード本体との側面にそれぞれ設けられた嵌合子を嵌合させるためには嵌合子同士が対抗した状態を維持する必要がある。しかし、特許文献１に記載のスライダは第１のコード本体と第２のコード本体とを挟持するのみであるため、コードの軸方向の回転を抑制することはできない。したがって、コードが絡まったり、ねじれたりすることなどにより、嵌合子同士が対抗した状態とはなっていない場合には、スライダを移動させても第１のコード本体と第２のコード本体の嵌合子を嵌合させることができない。
【０００７】
したがって、この発明の目的は、スライダを移動させることにより確実に複数本の長尺体を一体化および分離させることができるスライダ付き長尺体を提供することにある。
【課題を解決するための手段】
【０００８】
上述した課題を解決するために、この発明は、第１の長尺体と、第２の長尺体と、第１の長尺体と第２の長尺体とを挟持することにより一体化させる結合部と、結合部により一体化された第１の長尺体と第２の長尺体とを分離させる分離部と、第１の長尺体および／または第２の長尺体の軸方向回転を規制する規制部とを有し、第１の長尺体と第２の長尺体に設けられたスライダとからなるスライダ付き長尺体である。
【発明の効果】
【０００９】
この発明によれば、スライダを移動させることにより確実に複数本の長尺体を一体化および分離させることができる。
【図面の簡単な説明】
【００１０】
【図１】この発明の第１の実施の形態に係るスライダ付き長尺体を備えるヘッドホンの全体構成を示す図である。
【図２】第１コードと第２コードの構成を示す断面図である。
【図３】スライダの構成を示す外観斜視図および水平方向断面図である。
【図４】第１コードおよび第２コードがスライダで把持されている状態を示す図である。
【図５】スライダの摺動に伴う第１コードと第２コードとの嵌脱動作を示す断面図である。
【図６】この発明の第２の実施の形態に係るバンド後頭部通過型ステレオヘッドホンの全体構成を示す図である。
【図７】バンド後頭部通過型ステレオヘッドホンのヘッドホンユニット周辺の拡大図である。
【図８】ヘッドバンドおよびヘッドホンコードがスライダで把持されている状態を示す図である。
【図９】この発明に係る長尺体およびスライダの変形例を示す図である。
【発明を実施するための形態】
【００１１】
以下、この発明の実施の形態について図面を参照しながら説明する。なお、説明は以下の順序で行う。
＜１．第１の実施の形態＞
［１−１.スライダ付き長尺体の構成］
［１−２.スライダの動作および効果］
＜２．第２の実施の形態＞
［２−１. バンド後頭部通過型ステレオヘッドホンの構成］
［２−２.スライダの動作および効果］
＜３．変形例＞
【００１２】
＜１．第１の実施の形態＞
［１−１.スライダ付き長尺体の構成］
図１は、この発明に係るスライダ付き長尺体の全体構成を示す図である。本実施の形態においては、スライダ付き長尺体は例えば携帯型の音楽再生装置１００からの音声を出力するヘッドホンの一部として構成されている。ヘッドホンは、第１コード１０、第２コード２０、第３コード３０、プラグ４０、左側イヤホン５０、右側イヤホン６０、カバー７０、スライダ８０とから構成されている。
【００１３】
第１コード１０は、内部に左チャンネル用導線Ｌ、右チャンネル用導線Ｒ、グランド線Ｇが挿通しており、音楽再生装置１００から出力されるオーディオ信号を伝送するためのコードである。第１コード１０は特許請求の範囲における第１の長尺体に相当するものである。第１コード１０の一端にはプラグ４０が設けられており、プラグ４０によってヘッドホンは音楽再生装置１００に接続される。
【００１４】
第２コード２０は、内部に左チャンネル用導線Ｌ、グランド線Ｇが挿通しており、第１コード１０と同様にオーディオ信号を伝送するためのコードである。第２コード２０は第１コード１０よりも細く形成されている。第２コード２０の一端には左側イヤホン５０が設けられている。第２コード２０は特許請求の範囲における第２コード２０に相当するものである。
【００１５】
第３コード３０は内部に右チャンネル用導線Ｒ、グランド線Ｇが挿通しており、オーディオ信号を伝送するためのコードである。第３コード３０は第１コード１０よりも細い第２コード２０と同様の細さに形成されている。また、第３コード３０は第２コード２０よりも長さが短く形成されている。第３コード３０の一端には右側イヤホン６０が設けられている。第３コード３０は特許請求の範囲における第３の長尺体に相当するものである。
【００１６】
第１コード１０の左チャンネル用導線Ｌ、グランド線Ｇと第２コード２０の左チャンネル用導線Ｌ、グランド線Ｇは例えばハンダ付けにより接続されている。また、第１コード１０の右チャンネル用導線Ｒ、グランド線Ｇと第３コード３０の右チャンネル用導線Ｒ、グランド線Ｇがハンダ付けにより接続されている。接続部分には例えばプラスチック製のカバー７０が設けられている。その接続部分が特許請求の範囲における接続部に相当する。このようにして、本実施の形態におけるヘッドホンのコードはいわゆるＵ型のコードとなっている。スライダ８０は、第１コード１０と第２コード２０とを把持するように設けられている。
【００１７】
図２は、第１コード１０および第２コード２０の構成を示す断面斜視図である。第１コード１０は略円形状に形成された３芯型の長尺のコードである。第１コード１０は、左チャンネル用導線Ｌ、右チャンネル用導線Ｒ、グランド線Ｇからなる第１の導体１１を有する。この第１の導体１１は、断面略円形状の第１の絶縁体１２により被覆されている。そして、第１の絶縁体１２の側面には、長手方向に沿って断面形状が第１の絶縁体１２の口径よりも小口径の略円形である嵌合溝１３が形成されている。
【００１８】
嵌合溝１３は、第１の絶縁体１２の長手方向に沿って側面に所定幅開口する開口部１３Ａを有するように形成されている。この開口部１３Ａから第２コード２０が嵌合溝１３内に入り込み収納されることとなる。開口部１３Ａの幅を嵌合溝１３の直径よりも短くすることにより、開口部１３Ａを挟んで対向するように（開口部１３Ａを閉塞する方向に）一対の掛止部１２Ａ、１２Ｂが形成されている。一対の掛止部１２Ａ、１２Ｂは、弾力性を有している。嵌合溝１３に収納された第２コード２０はこの掛止部１２Ａ、１２Ｂによって掛止されることにより保持される。これにより、嵌合溝１３に嵌合して収納された第２コード２０が不用意に嵌合溝１３から外れることを防止している。第１の絶縁体１２、嵌合溝１３及び掛止部１２Ａ、１２Ｂは、例えば非塩化ビニールなどの合成樹脂により形成されている。
【００１９】
第２コード２０は、左チャンネル用導線Ｌ、グランド線Ｇからなる第２の導体２１を有する。この第２の導体２１は第２の絶縁体２２により被覆されている。第２の絶縁体２２の断面形状は、第１コード１０の嵌合溝１３に嵌合するように、嵌合溝１３の断面口径と略同径の円形状に形成されている。第２の絶縁体２２は例えば、非塩化ビニールなどの樹脂により形成されている。なお、第１コード１０および第２コード２０の断面形状を略四角形状ではなく略円形状に形成することにより、後述するスライダ８０のスライド本体８１の内面との設置面積を減らして、摩擦を軽減している。
【００２０】
第３コード３０は、右チャンネル用導線Ｒ、グランド線Ｇからなる第３の導体を有し、この第３の導体は第３の絶縁体により被覆されている。第３の絶縁体の構成は長さが短い点以外は第２の絶縁体２１と同様の構成であるため、その説明を省略する。なお、第１コード１０、第２コード２０および第３コード３０にはそれぞれ導体に沿って１または複数の補強糸（図示せず。）を介在させてもよい。
【００２１】
図３はスライダ８０の構成を示す図である。図３Ａは結合部８１Ａ側からの外観斜視図であり、図３Ｂは分離口８１Ｂ側からの外観斜視図であり、図３Ｃは水平方向断面図である。スライダ８０はスライダ本体８１、分離用リブ８２、ガイド突起８３から構成されている。
【００２２】
スライダ本体８１は、第１コード１０および第２コード２０を摺動自在に把持するために筒型状に形成されている。スライダ本体８１の一端側の口径が小さく絞られることにより結合部８１Ａが形成されている。結合部８１Ａは、結合部８１Ａ内を挿通する第１コード１０および第２コード２０を挟んで締め付けることにより第２コード２０を第１コード１０の嵌合溝１３内に押入して第１コード１０と第２コード２０を一体化させるものである。
【００２３】
結合部８１Ａは第１コード１０の断面形状と同様に略円形状に形成されている。結合部８１Ａの口径は、締め付けることにより第２コード２０を嵌合溝１３内に確実に嵌合させることができるように第１コード１０とほぼ同じサイズ、または第１コード１０の太さよりも僅かにだけ大きく形成されている。これにより、第１コード１０と第２コード２０とを締め付けて嵌合溝１３内に第２コード２０を確実に嵌合させることができると同時に、結合部８１Ａと結合された第１コード１０と第２コード２０との摩擦を軽減し、スライダ８０の摺動が遮られることがないようにしてある。
【００２４】
一方、スライダ本体８１の他端側は、結合部８１Ａと比較して口径が水平方向に大きく形成されており、分離した第１コード１０および第２コード２０とが導出される分離口８１Ｂとなっている。このようにして、スライダ本体８１は分離口８１Ｂから結合部８１Ａに向けて狭窄する平面視略台形状に形成されている。
【００２５】
スライダ本体８１の内部側面８１Ｃは、断面略円形状に形成されている第１コード１０および第２コード２０が引っ掛かることなく摺動することが可能なように曲面状に形成されている。また、スライダ本体８１の内部上面８１Ｄおよび内部下面８１Ｅは平板上に形成されている。
【００２６】
分離用リブ８２は、スライダ本体８１の分離口８１Ｂ側の平面視略中央において、スライダ本体８１の内部上面８１Ｄおよび内部下面８１Ｅ間に架設されている。分離用リブ８２は一体化された状態にある第１コード１０と第２コード２０の分岐部分において第１コード１０および第２コード２０間に介在することにより、第１コード１０と第２コード２０とを分離する分離部として機能するものである。
【００２７】
分離用リブ８２は、第１コード１０および第２コード２０との接触面積を減らして摩擦を軽減し、分離用リブ８２に第１コード１０および第２コード２０が引っ掛かることがないように略円柱状に形成されている。分離用リブ８２が設けられていることにより、分離口８１Ｂは第１コード１０が挿通する第１挿通口８１Ｂ−１と第２コード２０が挿通する第２挿通口８１Ｂ−２とに分割されている。
【００２８】
分離用リブ８２の側面には第１挿通口８１Ｂ−１および第２挿通口８１Ｂ−２方向にそれぞれ突出するように一対のガイド突起８３が設けられている。このガイド突起８３は、第１コード１０の嵌合溝１３内に入り込むことによって、スライダ８０内部においては嵌合溝１３の開口部１３Ａが常に第２コード２０と対向する方向に向くように第１コード１０の軸方向回転を規制する。ガイド突起８３は特許請求の範囲における規制部に相当するものである。
【００２９】
ガイド突起８３の横幅は嵌合溝１３の開口部１３Ａの開口幅と略同一または僅かにだけ小さく形成されている。また、ガイド突起８３の突出幅は嵌合溝１３の深さと略同一または僅かにだけ低く形成されている。これにより、ガイド突起８３が嵌合溝１３Ａ内に入り込んだ状態においてはガイド突起８３と嵌合溝１３との間に大きな隙間が形成されないため、確実に第１コード１０の軸方向回転を規制することができる。
【００３０】
また、ガイド突起８３は、先端８３Ａが略球形状に形成されている。これにより、ガイド突起８３の先端８３Ａが円筒状に形成されている嵌合溝１３内面に引っ掛かることがない。また、第２コード２０がガイド突起８３に引っ掛かることもない。したがって、ガイド突起８３によりスライダ８０の摺動が妨げられることがない。
【００３１】
なお、本実施の形態においては、２つのガイド突起８３が第１挿通口８１Ｂ−１および第２挿通口８１Ｂ−２方向にそれぞれ突出するように設けられている。しかし、ガイド突起８３は第１コード１０の嵌合溝１３に入り込むものであるため、第２コード２０が挿通する第２挿通口８１Ｂ−２方向には必ずしも設ける必要はない。第１挿通口８１Ｂ−１側にのみ設けることによりこの発明における効果を奏することができる。ただし、ガイド突起８３を両方向に突出するように設けて、分離用リブ８２およびガイド突起８３が左右対称となるように形成することにより、この発明に係る製品の製造時においては、分離用リブ８２とガイド突起８３をスライド本体に取り付ける際にガイド突起８３の方向を認識する必要がなくなるので、製造を迅速、容易に行うことができる。スライダ本体８１、分離用リブ８２、ガイド突起８３は、例えば、プラスチック、ポリプロピレン（ＰＰ）、ポリブチレンテレフタレート（ＰＢＰ）、金属などを用いて形成されている。
【００３２】
［１−２.スライダの動作および効果］
図４は、第１コード１０および第２コード２０がスライダ８０で把持されている状態を示す図である。図４Ａは外観斜視図であり、図４Ｂは水平断面図である。第１コード１０および第２コード２０は結合部８１Ａ側では、結合部８１Ａに締め付けられることにより第２コード２０が第１コード１０の嵌合溝１３内に嵌合して一体化した状態となっている。
【００３３】
一方、分離口８１Ｂ側では、第１コード１０と第２コード２０とは分離した状態である。第１コード１０は第１挿通口８１Ｂ−１から導出され、第２コード２０は第２挿通口８１Ｂ−２から導出されている。分離用リブ８２が第１コード１０と第２コード２０間に介在している。そして、図４Ｂに示すように分離用リブ８２に設けられているガイド突起８３は第１コード１０の嵌合溝１３内に入り込んでいる。これにより、例えば第１コード１０がプラグ４０側でねじれていたとしても、スライダ８０内部においては軸方向の回転が規制されるので、嵌合溝１３の開口部１３Ａが常に第２コード２０と対向する方向に向くこととなる。
【００３４】
嵌合溝１３の開口部１３Ａが常に第２コード２０と対向する方向に向いているため、結合部８１Ａが第１コード１０および第２コード２０を挟んで締め付けると自然に第２コード２０が嵌合溝１３内に押入されることとなる。これにより、確実に第２コード２０を嵌合溝１３に嵌合させることができる。
【００３５】
第２コード２０は第１コード１０の嵌合溝１３に嵌合している状態においては、第１コード１０の表面から僅かに突出するだけであり、第１コード１０内に埋め込まれるようになる。このため、第１コード１０と第２コード２０とが一体化すると共に、第２コード２０が第１コード１０に埋没し、見た目には第１コード１０だけが存在しているかのようになる。
【００３６】
スライダ８０を分離口８１Ｂ方向へ摺動させると、一体化している第１コード１０と第２コード２０との分岐部分に分離用リブ８２が入り込むことによって第１コード１０と第２コード２０とが分離される。分離した第１コード１０は第１挿通口８１Ｂ−１から、第２コード２０は第２挿通口８１Ｂ−２からそれぞれ導出される。
【００３７】
図５は、スライダ８０の摺動に伴う第１コード１０と第２コード２０との嵌脱動作を示す断面図である。図５Ａは図４Ｂの５Ａ−５Ａ断面図、図５Ｂは図４Ｂの５Ｂ−５Ｂ断面図、図５Ｃは図４Ｂの５Ｃ−５Ｃ断面図、図５Ｄは図４Ｂの５Ｄ−５Ｄ断面図、図５Ｅは図４Ｂの５Ｅ−５Ｅ断面図である。
【００３８】
図５Ａに示すように、分離口８１Ｂ側においては第１コード１０と第２コード２０とは分離しており、第１コード１０は第１挿通口８１Ｂ−１から、第２コード２０は第２挿通口８１Ｂ−２からそれぞれ導出されている。そして、第１コード１０の嵌合溝１３にガイド突起８３が入り込むことにより第１コード１０の軸方向回転が規制されているため、嵌合溝１３の開口部１３Ａは第２コード２０と対向する方向を向いている。
【００３９】
嵌合溝１３に第２コード２０を嵌合させる場合は、スライダ８０を結合部８１Ａ方向へ摺動させる。そうすると、図５Ｂに示すように、スライダ本体８１の内部側面８１Ｃによって第２コード２０が第１コード１０方向へ押圧される。引き続きスライダ８０を結合部８１Ａ方向へ摺動させ続けると、図５Ｃに示すように、スライダ本体８１の径が狭まっていくことにより第２コード２０は第１コード１０方向にさらに押圧される。
【００４０】
そして、第１コード１０の側面に形成された嵌合溝１３の開口部１３Ａと第２のコード２０の側面とが接触し、掛止部１２Ａ、１２Ｂは第２コード２０の側面により押圧されて、嵌合溝１３の内側の矢印方向へ屈曲する。そして、第２コード２０は開口部１３Ａ内に押し込まれて嵌合溝１１３に嵌合する。図５Ａに示したように、ガイド突起８３によって嵌合溝１３の開口部１３Ａは第２コード２０方向に向いているので、開口部１３Ａの開口方向と第２コード２０の位置とがずれることがなく、確実に嵌合溝１３と第２コード２０とを衝合させることができる。そして、図５Ｄに示すように、第１コード１０と第２コード２０とが一体化する。
【００４１】
第１コード１０と第２コード２０とが一体化した状態では、第２コード２０の側面が掛止部１２Ａ、１２Ｂにより掛止されている。そのため、嵌合溝１３から第２コード２０が不用意にはずれてしまうことがない。さらに、第１コード１０と第２コード２０とが一体化した状態で両コードを屈曲させても、第２コード２０が嵌合溝１３からはずれることがない。
【００４２】
第２コード２０を第１コード１０から分離させる場合は、スライダ８０を結合部８１Ａとは逆方向である分離口８１Ｂ方向へ摺動させる。これにより、第１コード１０と第２コード２０との分岐部分に介在する分離用リブ８２により第２コード２０は第１コード１０から引き離される方向に付勢される。そうすると、図５Ｅに示すように、弾力性を有する掛止部１２Ａ、１２Ｂが外側の矢印方向へ屈曲して開口部１３Ａが開き、第２コード２０が嵌合溝１３から外れる。そして、図５Ａに示すように、第１コード１０は第１挿通口８１Ｂ−１から、第２コード２０は第２挿通口８１Ｂ−２からそれぞれ導出される。
【００４３】
このように、スライダ８０を摺動させることにより、第１コード１０と第２コード２０とを任意の位置で一体化または分離させることができる。これにより、第１コード１０と第２コード２０の分岐部分の位置を自在に調整することができる。例えば、ヘッドホン使用時においては、第２コード２０の長さをユーザの嗜好に合わせた長さに調整することにより、コードのぶらつきを防止することができる。また、ヘッドホンを使用しないときにはスライダ８０を第２コード２０の先端に設けられたイヤホンに到達する位置まで移動させることにより、第１コード１０と第２コード２０とを１本のコードとして扱うことができる。これにより、第１コード１０と第２コード２０との絡みつきを防止することができる。
【００４４】
なお、ガイド突起８３を分離用リブ８２に設けて、ガイド突起８３が嵌合溝１３に入り込むという構成にすることにより、嵌合溝１３は第２コード２０の収納用の溝およびガイド突起８３が入り込む溝として機能する。これにより、第１コード１０に収納用の溝とガイド突起２０が入り込むための溝を別々に設ける必要がないため、第１コード１０の構成を簡略化することができる。
【００４５】
一般的に、ヘッドホンのコードの構造にはＹ型、Ｕ型と称されるものがある。Ｙ型とは、プラグから延びる１本のコード（以下、基幹コードと称する。）を途中の分岐部分から右耳用コードおよび左耳用コードに分け、右耳用コードと左耳用コードとを同じ長さにしたものである。Ｙ型においては、右耳用コードおよび左耳用コードとは分岐部分から基幹コードとは逆方向に延びるように形成されている。装着時には、基幹コードと、右耳用コードと左耳用コードとでＹ字が形成される。
【００４６】
一方、Ｕ型とはプラグから延びる基幹コードを途中から右耳用コードおよび左耳用コードに分ける点はＹ型と同様であるが、右耳用コードおよび左耳用コードの長さが異なる点がＹ型と異なっている。また、右耳用コードと左耳用コードのうちいずれか一方は基幹コードと同方向に延出するように構成されている。すなわち、右耳用コードと左耳用コードとは逆方向に延出するように構成されている。これにより、装着時には右耳用コードおよび左耳用コードとでＵ字が形成される。Ｕ型では、コードの長さに基づいて判断することにより左耳用イヤホンと右耳用イヤホンの判別が容易である、右耳用コードと左耳用コードのうち長い方のコードを首の後ろに回すことができるためコードが体の正面で垂れ下がらず邪魔にならない、などの利点がある。
【００４７】
この発明においては、第２コード２０は第１コード１０の嵌合溝１３内に嵌合するため、第１コード１０は第２コード２０よりも太く形成されている必要がある。Ｙ型においては、基幹コードから右耳用コードおよび左耳用コードが分岐することによりＹ字を形成するため、デザイン上の観点およびバランス上の観点から右耳用コードと左耳用コードは同一の太さにすることが望ましい。また、Ｙ型においては、右耳用コードと左耳用コードは基幹コードとは逆方向に延出しているため、基幹コードを太くして嵌合溝を設け、右耳用コードと左耳用コードのいずれかを基幹コード内に収納することは構造上難しい。
【００４８】
これに対し、Ｕ型においては、右耳用コードおよび左耳用コードのいずれか一方は、基幹コードと同方向に延びるように構成されているため、その基幹コードと同方向に延びるコードを基幹コード内に収納することが構造的に可能である。これにより、基幹コードを右耳用コードおよび左耳用コードよりも太くして、右耳用コードおよび左耳用コードは同一の太さにすることが可能となる。したがって、この発明に係るスライダ付き長尺体は、Ｕ型のコードに適用するのが好ましい。Ｕ型に適用することが、デザイン上の観点およびバランス上の観点からしても好ましい。図１はこの発明をＵ型に適用したものであり、嵌合溝１３を備える第１コード１０は基幹コードとなり、右耳用コードまたは左耳用コードのうち基幹コードと同方向に延びるコードが第２コードとなる。
【００４９】
＜２．第２の実施の形態＞
［２−１. バンド後頭部通過型ステレオヘッドホンの構成］
以下、この発明の第２の実施の形態について説明する。第２の実施の形態においては、第１の長尺体はヘッドバンド２１０であり、また、第２の長尺体はヘッドホンコード２４０であり、ヘッドバンド２１０とヘッドホンコード２４０とをスライダ８０を用いることにより一体化させる。
【００５０】
図６は第２の実施の形態に係るバンド後頭部通過型ステレオヘッドホン２００の全体構成を示す図である。図６Ａは正面図、図６Ｂは平面図、図６Ｃは上面図である。また、図７は、バンド後頭部通過型ステレオヘッドホン２００の左側ヘッドホンユニット２２０周辺の拡大図である。バンド後頭部通過型ステレオヘッドホン２００は、ヘッドバンド２１０と、ヘッドバンド２１０の一端に設けられた左側ヘッドホンユニット２２０と、ヘッドバンド２１０の他端に設けられた右側ヘッドホンユニット２３０とから構成されている。
【００５１】
ヘッドバンド２１０は、ユーザの後頭部の形に沿って這わされるように湾曲状に形成されている。また、ヘッドバンド２１０は、ヘッドバンド２１０を耳殻に引っ掛けるために略円弧状に形成された耳掛け部２１１を有し、耳掛け部２１１以外の部分が後頭部に沿って這った状態で保持されるように構成されている。ヘッドバンド２１０内部には、耳掛け部２１１の形状及びユーザの後頭部に沿った形状に湾曲されたワイヤー（図示せず）が挿通されており、装着時、ヘッドバンド２１０の形状が容易に変形することがないように考慮されている。
【００５２】
ヘッドバンド２１０は、被覆体として例えばポリプロピレン（ＰＰ）や、ポリブチレンテレフタレート（ＰＢＰ）等の合成樹脂からなる弾性体が材料として用いられている。
【００５３】
ヘッドバンド２１０の左右の耳掛け部２１１の先端にはそれぞれ左側ヘッドホンユニット２２０、右側ヘッドホンユニット２３０が設けられている。左側ヘッドホンユニット２２０は、略円筒形状でなるハンガー２２１を有し、そのハンガー２２１とヘッドバンド２１０とが接続されている。ハンガー２２１には、耳殻方向へ突出した所定長さのアーム部２２２が一体化された状態で設けられており、バンド後頭部通過型ステレオヘッドホン２００の装着時、耳殻の前方にハンガー２２１が植立されたような状態で位置するように構成されている。
【００５４】
また、アーム部２２２の先端にはハウジング２２３が取り付けられている。そして、そのハウジング２２３にドライバーユニット（図示せず）が内蔵された状態で、外耳道に挿入される部分のイヤーピース２２４が取り付けられている。因みにハンガー２２１は、それ自体がユーザの耳殻に引っ掛けられるものではなく、イヤーピース２２４がユーザの外耳道に挿入された状態で、ヘッドバンド２１０の耳掛け部２１１を保持するようになされている。左側ヘッドホンユニット２２０はこのように構成されている。なお、右側ヘッドホンユニット２３０も同様にして構成されているためその説明を省略する。
【００５５】
一端が音楽再生装置１００などに接続されたヘッドホンコード２４０がヘッドバンド２１０と並行するように接続されている。ヘッドホンコード２４０内には、左チャンネル用導線Ｌ、右チャンネル用導線Ｒおよびグランド線Ｇからなる導体が挿通されている。ヘッドホンコード２４０における左チャンネル用導線Ｌ及びグランド線Ｇがハンガー２２１及びアーム部２２２を通ってイヤーピース２２４内のドライバーユニットに接続される。
【００５６】
また、ヘッドホンコード２４０における右チャンネル用の導線Ｒ及びグランド線Ｇは、ハンガー２２１内部で折り返され、右チャンネル用のドライバーユニットと接続するためにヘッドバンド２１０内に挿設されている導体における右チャンネル用の導線ｒ及びグランド線ｇと接続される。これにより、スライダ８０によってヘッドバンド２１０とヘッドホンコード２４０との分岐点が何れの場所になっても、ヘッドホンコード２４０を介して供給される右チャンネル用のオーディオ信号を、右チャンネル用のドライバーユニットへ確実に供給することができる。
【００５７】
［２−２.スライダの動作および効果］
図８は、ヘッドバンド２１０およびヘッドホンコード２４０がスライダ８０で把持されている状態を示す図である。図８Ａは斜視図、図８Ｂは断面図、図８Ｃは図８Ｂにおける８Ｃ−８Ｃ断面図、図８Ｄは図８Ｂにおける８Ｄ−８Ｄ断面図である。
【００５８】
ヘッドバンド２１０には図８に示すように、長手方向に沿って、断面形状が略円形状であり、所定幅開口する開口部２１２Ａを有する嵌合溝２１２が形成されている。嵌合溝２１２の構成は第１の実施の形態と同様である。ヘッドホンコード２４０は開口部２１２Ａから嵌合溝２１２に嵌合することとなる。開口部２１２Ａの幅を嵌合溝２１２の直径よりも短くすることにより、開口部２１２Ａを挟んで対向するように（開口部２１２Ａを閉塞する方向に）一対の掛止部２１０Ａ、２１０Ｂが形成されている。嵌合溝２１２に収納されたコードはこの掛止部２１０Ａ、２１０Ｂによって掛止されることにより保持される。
【００５９】
スライダ８０は、ヘッドバンド２１０とヘッドホンコード２４０とを一体化させるためにヘッドバンド２１０とヘッドホンコード２４０とを把持するようにスライド自在に設けられている。スライダ８０の構成は第１の実施の形態と同様である。第２の実施の形態においては、スライダ８０は、ヘッドバンド２１０とほぼ同じ直径又はそれよりも僅かに大きい直径を有するように構成されている。
【００６０】
図８Ｃに示すように、ヘッドバンド２１０およびヘッドホンコード２４０は結合部８１Ａ側では、結合部８１Ａにより締め付けられてヘッドホンコード２４０がヘッドバンド２１０の嵌合溝２１２に嵌合して一体化した状態となっている。一方、図８Ｄに示すように、分離口８１Ｂ側では、ヘッドバンド２１０とヘッドホンコード２４０とは分離した状態であり、分離用リブ８２がヘッドバンド２１０とヘッドホンコード２４０間に介在している。そして、図８Ｂおよび図８Ｄに示すように分離用リブ８２に設けられているガイド突起８３はヘッドバンド２１０の嵌合溝２１２内に入り込んでいる。これにより、ヘッドバンド２１０は、スライダ８０内に入るときには、嵌合溝２１２の開口部２１２Ａが常にヘッドホンコード２４０と対向する方向に向くように規制される。
【００６１】
嵌合溝２１２の開口部２１２Ａが常にヘッドホンコード２４０と対向する方向に向いているため、結合部８１Ａがヘッドバンド２１０とヘッドホンコード２４０を挟んで締め付けると自然にヘッドホンコード２４０が嵌合溝２１２内に押入されることとなる。これにより、確実にヘッドホンコード２４０を嵌合溝１３に嵌合させることができる。
【００６２】
ヘッドホンコード２４０が嵌合溝２１２に嵌合しているとき、ヘッドホンコード２４０の側面はヘッドバンド２１０の表面から僅かに突出するだけであり、ヘッドバンド２１０内に埋め込まれるようになる。このため、ヘッドバンド２１０とヘッドホンコード２４０とが一体化し、見た目にはヘッドバンド２１０だけが存在しているかのようになる。
【００６３】
スライダ８０を分離口８１Ｂ方向へ摺動させると、一体化しているヘッドバンド２１０および第２コード２０の分岐部分に分離用リブ８２が入り込むことによってヘッドバンド２１０とヘッドホンコード２４０とが分離される。
【００６４】
このように、第２の実施の形態においては、スライダ８０を移動させることにより、ヘッドバンド２１０およびヘッドホンコード２４０を任意の位置で分離または一体化させることができる。これにより、バンド後頭部通過型ステレオヘッドホン２００の使用時においては、ヘッドバンド２１０とヘッドホンコード２４０の分岐部分の位置を自在に調整して、ヘッドホンコード２４０のぶらつきを防止することができる。また、バンド後頭部通過型ステレオヘッドホン２００を使用しないときにはヘッドバンド２１０とヘッドホンコード２４０とを一体化させて１本のバンドとして扱うことができる。これにより、ヘッドバンド２１０とヘッドホンコード２４０とが絡まることを防止することができる。
【００６５】
なお、第２の実施の形態においては、この発明を後頭部を通過するヘッドバンド２１０に適用する場合を例にして説明を行った。しかし、本発明はこれに限らず、ユーザの頭上を通過するヘッドバンドや、ユーザの顎の下を通過するヘッドバンドに対しても同様に適用することができる。
【００６６】
さらに上述の実施の形態においては、ヘッドバンド２１０を構成する被覆体の材料として、ポリプロピレン（ＰＰ）や、ポリブチレンテレフタレート（ＰＢＰ）等の合成樹脂からなる弾性体を用いる場合について説明した。しかし、本発明はこれに限らず、合成樹脂からなる弾性体だけでなく、耐食性を有する金属材料や、金属製でありながら弾性力を有する材料によってヘッドバンド２１０を形成するようにしてもよい。
【００６７】
＜３．変形例＞
以上、この発明の実施の形態について具体的に説明したが、この発明は、上述の実施形態に限定されるものではなく、この発明の技術的思想に基づく各種の変形が可能である。例えば、上述の実施の形態においては、ガイド突起８３はスライダ本体８１の分離口８１Ｂ側に位置する分離用リブ８２の側面に設ける構成とした。しかし、ガイド突起８３を設ける位置は分離用リブ８２に限られない。例えば、図９Ａに示すように、ガイド突起３００をスライダ本体８１の結合部８１Ａ側に設けるようにしてもよい。なお、その場合、ガイド突起３００を嵌合溝１３に入り込ませることはできないため、第１コード１０にはガイド突起３００が入り込むためのガイド突起用溝４００を設ける必要がある。図９Ａに示す第１コード１０においては、嵌合溝１３と同様の口径を有するガイド突起用溝４００が嵌合溝１３の反対方向の側面に長手方向に沿って形成されている。このような構成を採用しても、第１コード１０の軸方向回転を規制して、嵌合溝１３の開口方向を常に第２コード２０と対向する方向に向けることができる。
【００６８】
また、上述の実施の形態では、第１コード１０に嵌合溝１３を設け、嵌合溝１３に第２コード２０を嵌合させることにより第１コード１０と第２コード２０とを一体化させた。しかし、第１コード１０と第２コード２０とを一体化させる構成はそのようなものに限られない。例えば、図９Ｂに示すように、第１コード１０および第２コード２０のそれぞれに互いに係合する係合片５００、６００を設けるようにしてもよい。そして、第１コード１０の係合片５００、第２コード２０の係合片６００それぞれに対応するようにガイド突起７００、８００をスライダ本体８１に設ける。第１コード１０と第２コード２０を結合部８１Ａで締め付けることにより係合片５００と係合片６００とが係合して第１コード１０と第２コード２０とを一体化させることができる。この構成においては、第１コード１０と第２コード２０とを略同一の太さにすることができるため、Ｙ型のコードに適用してもデザイン上の観点およびバランス上の観点からユーザに違和感を与えることがない。
【００６９】
また、上述の実施の形態ではこの発明をイヤホン、ヘッドホンのコードに適用する場合を例にして説明を行った。しかし、スピーカ用コードなど複数本の長尺体がセットになっているものであればいかなるものにもこの発明は適用可能である。
【符号の説明】
【００７０】
１０・・・・・・・第１コード
１３・・・・・・・嵌合溝
２０・・・・・・・第２コード
８０、２５０・・・スライダ
８１Ａ・・・・・・結合部
８２・・・・・・・分離用リブ
８３、３００・・・ガイド突起
２１０・・・・・・ヘッドバンド
２４０・・・・・・ヘッドホンコード
【図１】
2012043659.tif 000003
【図２】
2012043659.tif 000004
【図３】
2012043659.tif 000005
【図４】
2012043659.tif 000006
【図５】
2012043659.tif 000007
【図６】
2012043659.tif 000008
【図７】
2012043659.tif 000009
【図８】
2012043659.tif 000010
【図９】
2012043659.tif 000011